(57)【要約】【課題】破砕室部に投入口部を介して被破砕物を投入し、破砕室部において、回転機構により回転軸を回転させ、この回転により回転刃は回転し、被破砕物は押送機構により回転刃をもつ回転体の上部外周面に押送され、回転刃の回転により破砕機体に取り付けられた固定刃との協働により被破砕物を剪断破砕することになり、被破砕物を確実に破砕することができる。【解決手段】破砕機体１内に破砕室部２を形成し、破砕室部の上部に被破砕物Ｗを投入する投入口部３を形成し、下部に回転軸４を横設し、回転軸に回転体６を配設し、回転体に複数個の回転刃７を配設し、破砕機体に回転刃と協働して被破砕物を剪断破砕する固定刃１０を配設し、回転体の下方に排出口部８を配設し、排出口部に回転刃の回転軌跡に沿って篩網状体９を配設し、被破砕物を回転刃をもつ回転体の上部外周面に押送可能な押送機構１１を設けてなる。【選択図】図１
2011088042.tif 000002
【特許請求の範囲】
【請求項１】
破砕機体内に破砕室部を形成し、該破砕室部の上部に被破砕物を投入する投入口部を形成し、破砕室部の下部に回転軸を横設し、回転軸に回転体を配設し、回転体に被破砕物を破砕可能な複数個の回転刃を配設し、該破砕機体に該回転刃と協働して被破砕物を剪断破砕する固定刃を配設し、回転体の下方に排出口部を配設し、排出口部に該回転刃の回転軌跡に沿って篩網状体を配設し、該破砕機体に該投入口部から投入された被破砕物を回転刃をもつ回転体の上部外周面に押送可能な押送機構を設けてなり、上記押送機構として、上記回転刃をもつ回転体の上部外周面に向かって弧状往復運動して上記被破砕物を上記回転刃をもつ回転体の上部外周面に押送可能な第一の押送部材をもつ弧状押送機構と、上記回転刃をもつ回転体の上部外周面に向かって直線往復運動して上記被破砕物を上記回転刃をもつ回転体の上部外周面に押送可能な第二の押送部材をもつ直線押送機構とを備えてなることを特徴とする破砕機。
【請求項２】
上記弧状押送機構に上記第一の押送部材を弧状往復運動させる弧状運動用シリンダを設けてなることを特徴とする請求項１記載の破砕機。
【請求項３】
上記直線押送機構に上記第二の押送部材を直線往復運動させる直線運動用シリンダを設けてなることを特徴とする請求項１又は２記載の破砕機。
【発明の詳細な説明】
【技術分野】
【０００１】
本発明は例えば紙、プラスチック等の都市ゴミ、産業廃棄物等を細片に切断する破砕機に関するものである。
【背景技術】
【０００２】
従来この種の破砕機として、例えば、破砕機体内に破砕室部を形成し、該破砕室部の上部に被破砕物を投入する投入口部を形成し、破砕室部の下部に回転軸を横設し、回転軸に回転体を配設し、回転体に被破砕物を破砕可能な複数個の回転刃を配設し、該破砕機体に該回転刃と協働して被破砕物を剪断破砕する固定刃を配設し、回転体の下方に排出口部を配設し、排出口部に該回転刃の回転軌跡に沿って篩網状体を配設し、該破砕機体に該投入口部から投入された被破砕物を回転刃をもつ回転体の上部外周面に押送可能な押送機構を設けてなる構造のものが知られている。
【先行技術文献】
【特許文献】
【０００３】
【特許文献１】特開２００２−２２４５８３号公報
【発明の概要】
【発明が解決しようとする課題】
【０００４】
しかしながらこれら従来構造の場合、上記押送機構として、上記回転刃をもつ回転体の上部外周面に向かって弧状往復運動して上記被破砕物を上記回転刃をもつ回転体の上部外周面に押送可能な単一個の押送部材をもつ構造となっており、このため、被破砕物の種類や破砕度合などの破砕条件によっては、単一個の押送部材の往復運動では被破砕物が上記回転刃をもつ回転体の上部外周面に確実に押送されないことがあり、破砕効率が低下することがあるという不都合を有している。
【課題を解決するための手段】
【０００５】
本発明はこれらの課題を解決することを目的とし、本発明のうち、請求項１記載の発明は、破砕機体内に破砕室部を形成し、該破砕室部の上部に被破砕物を投入する投入口部を形成し、破砕室部の下部に回転軸を横設し、回転軸に回転体を配設し、回転体に被破砕物を破砕可能な複数個の回転刃を配設し、該破砕機体に該回転刃と協働して被破砕物を剪断破砕する固定刃を配設し、回転体の下方に排出口部を配設し、排出口部に該回転刃の回転軌跡に沿って篩網状体を配設し、該破砕機体に該投入口部から投入された被破砕物を回転刃をもつ回転体の上部外周面に押送可能な押送機構を設けてなり、上記押送機構として、上記回転刃をもつ回転体の上部外周面に向かって弧状往復運動して上記被破砕物を上記回転刃をもつ回転体の上部外周面に押送可能な第一の押送部材をもつ弧状押送機構と、上記回転刃をもつ回転体の上部外周面に向かって直線往復運動して上記被破砕物を上記回転刃をもつ回転体の上部外周面に押送可能な第二の押送部材をもつ直線押送機構とを備えてなることを特徴とする破砕機にある。
【０００６】
又、請求項２記載の発明は、上記弧状押送機構に上記第一の押送部材を弧状往復運動させる弧状運動用シリンダを設けてなることを特徴とするものであり、又、請求項３記載の発明は、上記直線押送機構に上記第二の押送部材を直線往復運動させる直線運動用シリンダを設けてなることを特徴とすることを特徴とするものである。
【発明の効果】
【０００７】
本発明は上述の如く、請求項１記載の発明にあっては、人為的又は自動的に、破砕機体内の破砕室部に投入口部を介して都市ゴミや産業廃棄物等である被破砕物を投入し、破砕室部において、回転機構により回転軸を回転させ、この回転により回転刃は回転し、破砕室部内の被破砕物は押送機構により回転刃をもつ回転体の上部外周面に押送され、回転刃の回転により破砕機体に取り付けられた固定刃との協働により被破砕物を剪断破砕することになり、この際、上記押送機構として、上記回転刃をもつ回転体の上部外周面に向かって弧状往復運動して上記被破砕物を上記回転刃をもつ回転体の上部外周面に押送可能な第一の押送部材をもつ弧状押送機構と、上記回転刃をもつ回転体の上部外周面に向かって直線往復運動して上記被破砕物を上記回転刃をもつ回転体の上部外周面に押送可能な第二の押送部材をもつ直線押送機構とを備えているから、被破砕物を第一の押送部材の弧状往復運動及び第二の押送部材の直線往復運動の相異なる往復運動により回転刃をもつ回転体の上部外周面に強制的に確実に押送することができ、薄膜状又は肉厚のプラスチックフィルム、固形物、軟弱状物などの各種の被破砕物や破砕仕様に基づく破砕度合に対応して、各種被破砕物を確実に破砕することができ、破砕効率を高めることができると共に破砕の融通性を高めることができ、破砕用途の拡大を図ることができる。
【０００８】
又、請求項２記載の発明にあっては、上記弧状押送機構に上記第一の押送部材を弧状往復運動させる弧状運動用シリンダを設けてなるから、弧状押送機構の設置の融通性及び構造の簡素化を図ることができ、又、請求項３記載の発明にあっては、上記直線押送機構に上記第二の押送部材を直線往復運動させる直線運動用シリンダを設けてなるから、直線押送機構の設置の融通性及び構造の簡素化を図ることができる。
【図面の簡単な説明】
【０００９】
【図１】本発明の実施の形態例の側断面図である。
【図２】本発明の実施の形態例の平面図である。
【図３】本発明の実施の形態例の拡大側断面図である。
【発明を実施するための形態】
【００１０】
図１乃至図３は本発明の実施の形態例を示し、１は破砕機体であって、内部に破砕室部２が形成され、破砕室部２の上方に被破砕物Ｗを投入するホッパー状の投入口部３を形成し、この破砕室部２の下部に回転軸４を横設し、この回転軸４を回転させる回転機構５を配設し、この回転軸４にロール状の回転体６を配設し、回転体６の外周部分に複数個の回転刃７を一定の位相差をもってつるまき状に配設し、回転体６の下方に排出口部８を配設し、この排出口部８に回転刃７の回転軌跡に沿って板状の篩網状体９を配設し、破砕機体１に回転刃７と協働して被破砕物Ｗを剪断破砕する固定刃１０を配設し、破砕機体１に投入口部３から投入された被破砕物Ｗを回転刃７をもつ回転体６の上部外周面に押送可能な押送機構１１を設けて構成している。
【００１１】
この場合、上記回転機構５は、破砕機体１に回転用モータ５ａ及び減速機５ｂを配置し、回転用モータ５ａにより減速機５ｂを介して回転軸４を駆動回転させるように構成している。
【００１２】
この場合、上記押送機構１１として、上記回転刃７をもつ回転体６の上部外周面に向かって弧状往復運動して上記被破砕物Ｗを上記回転刃７をもつ回転体６の上部外周面に押送可能な第一の押送部材１２ａをもつ弧状押送機構１２と、上記回転刃７をもつ回転体６の上部外周面に向かって直線往復運動して上記被破砕物Ｗを上記回転刃７をもつ回転体６の上部外周面に押送可能な第二の押送部材１３ａをもつ直線押送機構１３とを備えて構成している。
【００１３】
この場合、上記弧状押送機構１２として、上記第一の押送部材１２ａを上記破砕室部２の側方に支点軸１２ｂにより弧状往復運動自在に設け、弧状運動用シリンダ１２ｃを破砕機体１にピン１２ｄにより枢着連結し、弧状運動用シリンダ１２ｃのロッド１２ｅを第一の押送部材１２ａにピン１２ｆにより連結し、第一の押送部材１２ａを弧状運動用シリンダ１２ｃにより弧状往復運動させ、投入口部３から投入されて落送されてくる被破砕物Ｗを回転刃７をもつ回転体６の上部外周面に向けて斜め下向きに押送可能に構成している。
【００１４】
この場合、上記直線押送機構１３として、上記第二の押送部材１３ａを上記破砕室部２の側方にガイド部材１３ｂにより直線往復運動自在に設け、直線運動用シリンダ１３ｃを破砕機体１にピン１３ｄにより枢着連結し、直線運動用シリンダ１３ｃのロッド１３ｅを第二の押送部材１３ａにピン１３ｆにより連結し、第二の押送部材１３ａを直線運動用シリンダ１３ｃにより直線往復運動させ、投入口部３から投入されて落送されてくる被破砕物Ｗを回転刃７をもつ回転体６の上部外周面に向けて斜め下向きに押送可能に構成している。
【００１５】
尚、第一の押送部材１２ａによる押送作動及び第二の押送部材１３ａによる押送作動は図示省略の制御手段により予め定めた作動時期や作動速度、タイミング連携運動により作動するように構成されている。
【００１６】
この実施の形態例は上記構成であるから、図１の如く、人為的又は自動的に、破砕機体１内の破砕室部２に投入口部３を介して都市ゴミや産業廃棄物等である被破砕物Ｗを投入し、破砕室部２において、回転機構５により回転軸４を回転させ、この回転により回転刃７は図中矢印方向の時計廻りに回転し、破砕室部２内の被破砕物Ｗは押送機構１１により回転刃７をもつ回転体６の上部外周面に押送され、回転刃７の回転により破砕機体１に取り付けられた固定刃１０との協働により被破砕物Ｗを剪断破砕することになり、破砕された被破砕物Ｗは篩網状体９の篩目９ａを介して落下し、篩目９ａより大きな被破砕物Ｗは再び上方にまわってから再度剪断破砕され、被破砕物Ｗの剪断破砕が行われることになる。
【００１７】
この際、上記押送機構１１として、上記回転刃７をもつ回転体６の上部外周面に向かって弧状往復運動して上記被破砕物Ｗを上記回転刃７をもつ回転体６の上部外周面に押送可能な第一の押送部材１２ａをもつ弧状押送機構１２と、上記回転刃７をもつ回転体６の上部外周面に向かって直線往復運動して上記被破砕物Ｗを上記回転刃７をもつ回転体６の上部外周面に押送可能な第二の押送部材１３ａをもつ直線押送機構１３とを備えているから、被破砕物Ｗを第一の押送部材１２ａの弧状往復運動及び第二の押送部材１３ａの直線往復運動の相異なる往復運動により回転刃７をもつ回転体６の上部外周面に強制的に確実に押送することができ、薄膜状又は肉厚のプラスチックフィルム、固形物、軟弱状物などの各種の被破砕物や破砕仕様に基づく破砕度合に対応して、各種被破砕物Ｗを確実に破砕することができ、破砕効率を高めることができると共に破砕の融通性を高めることができ、破砕用途の拡大を図ることができる。
【００１８】
この場合、上記弧状押送機構１２に上記第一の押送部材１２ａを弧状往復運動させる弧状運動用シリンダ１２ｄを設けてなるから、弧状押送機構１２の設置の融通性及び構造の簡素化を図ることができ、又、この場合、上記直線押送機構１３に上記第二の押送部材１３ａを直線往復運動させる直線運動用シリンダ１３ｃを設けてなるから、直線押送機構１３の設置の融通性及び構造の簡素化を図ることができる。
【００１９】
尚、本発明は上記実施の形態例に限られるものではなく、例えば破砕機体１、破砕室部２、篩網状体９、弧状押送機構１２、直線押送機構１３構造並び材質等は適宜設計して変更される。
【００２０】
以上の如く、所期の目的を充分達成することができる。
【符号の説明】
【００２１】
Ｗ    被破砕物
１    破砕機体
２    破砕室部
３    投入口部
４    回転軸
６    回転体
７    回転刃
８    排出口部
９    篩網状体
１０    固定刃
１１    押送機構
１２    弧状押送機構
１２ａ    第一の押送部材
１２ｃ    弧状運動用シリンダ
１３    直線押送機構
１３ａ    第二の押送部材
１３ｃ    直線運動用シリンダ
【図１】
2011088042.tif 000003
【図２】
2011088042.tif 000004
【図３】
2011088042.tif 000005